(57)【要約】【課題】遮蔽機能を容易に高めることができる放射性薬剤投与システムを提供する。【解決手段】放射性薬剤投与システム１００は、放射性薬剤投与装置１の周囲を覆うように配置され、放射線を遮蔽する遮蔽部材６１，６２，６３，６４，６５を取り付け可能なフレーム部５０と、フレーム部５０に対して取り付けられる遮蔽部材６１，６２，６３，６４，６５と、を備える。このような構成では、フレーム部５０に対して遮蔽部材６１，６２，６３，６４，６５を取り付けるだけで、放射線に対する遮蔽機能を高めることができる。また、放射性薬剤投与装置１の遮蔽壁２自体には変更を加える必要がないため、薬事申請を行うことなく、遮蔽機能を高めることができる。以上により、放射性薬剤投与システム１００の遮蔽機能を容易に高めることができる。【選択図】図２
2019217041.tif 000002
【特許請求の範囲】
【請求項１】
遮蔽壁の内部に放射性薬剤を収容し、前記放射性薬剤を投与するための放射性薬剤投与装置と、
前記放射性薬剤投与装置の外側を囲むように配置され、放射線を遮蔽する遮蔽部材を取り付け可能なフレーム部と、
前記フレーム部に対して取り付けられる前記遮蔽部材と、を備える放射性薬剤投与システム。
【請求項２】
前記フレーム部は、任意の箇所に前記遮蔽部材を取り付け可能である、請求項１に記載の放射性薬剤投与システム。
【請求項３】
前記フレーム部は、前記放射性薬剤投与装置に対して近接及び離間が可能に構成される、請求項１又は２に記載の放射性薬剤投与システム。
【請求項４】
前記フレーム部は、車輪を備える、請求項３に記載の放射性薬剤投与システム。
【発明の詳細な説明】
【技術分野】
【０００１】
本発明は、放射性薬剤投与システムに関する。
【背景技術】
【０００２】
従来、この分野の技術として下記特許文献１に記載の放射性薬剤投与装置が知られている。この装置では、輸送液を搬送するための輸送ラインが、輸送液シリンジと翼付針とを接続している。この輸送ラインに対して、放射性薬剤を供給するための薬剤ラインが合流している。所望の放射能量の放射性薬剤が、薬剤シリンジから薬剤ラインを通じて輸送ラインに送り込まれた後、輸送液と一緒に輸送液シリンジで押し出されることにより、輸送ライン及び翼付針を通じて患者に放射性薬剤が投与される。
【先行技術文献】
【特許文献】
【０００３】
【特許文献１】特開２００８−１３６７８６号公報
【発明の概要】
【発明が解決しようとする課題】
【０００４】
上記のように、放射性薬剤投与装置では、所望の放射能量の放射性薬剤を投与するようになっている。このような放射性薬剤投与装置には、放射性薬剤を取り扱う内部構成を遮蔽壁で覆うなどにより、放射線を遮蔽するための遮蔽機能が設けられている。ここで、放射性薬剤投与装置を扱う施設により、放射線に関する安全性に対する取り組みが異なる。従って、安全性をより高く設定している施設では、薬剤投与装置に遮蔽材を追加で取り付けることが求められる場合がある。しかしながら、薬剤投与装置に遮蔽材を追加する場合には、薬事申請が必要となるため、遮蔽材追加に伴う安全性評価（強度等の評価）や申請書類の作成に時間・コストがかかる場合がある。
【０００５】
このような課題に鑑み、本発明は、遮蔽機能を容易に高めることができる放射性薬剤投与システムを提供することを目的とする。
【課題を解決するための手段】
【０００６】
本発明の放射性薬剤投与システムは、遮蔽壁の内部に放射性薬剤を収容し、放射性薬剤を投与するための放射性薬剤投与装置と、放射性薬剤投与装置の外側を囲むように配置され、放射線を遮蔽する遮蔽部材を取り付け可能なフレーム部と、フレーム部に対して取り付けられる遮蔽部材と、を備える。
【０００７】
本発明の放射性薬剤投与システムは、放射性薬剤投与装置の外側を囲むように配置され、放射線を遮蔽する遮蔽部材を取り付け可能なフレーム部と、フレーム部に対して取り付けられる遮蔽部材と、を備える。このような構成では、フレーム部に対して遮蔽部材を取り付けるだけで、放射線に対する遮蔽機能を高めることができる。また、放射性薬剤投与装置の遮蔽壁自体には変更を加える必要がないため、薬事申請を行うことなく、遮蔽機能を高めることができる。以上により、放射性薬剤投与システムの遮蔽機能を容易に高めることができる。
【０００８】
また、フレーム部は、任意の箇所に遮蔽部材を取り付け可能であってよい。この場合、放射性薬剤投与システムの施設の安全性の基準や使用状況にあわせて、必要な箇所の遮蔽機能を高めることができる。
【０００９】
また、フレーム部は、放射性薬剤投与装置に対して近接及び離間が可能に構成されてよい。この場合、フレーム部を放射性薬剤投与装置から離間した状態にて、フレーム部に対する遮蔽部材の取り付けを行うことができる。
【００１０】
また、フレーム部は、車輪を備えてよい。この場合、シンプルな構成にて、フレーム部を放射性薬剤投与装置に対して近接及び離間させることができる。
【発明の効果】
【００１１】
本発明によれば、遮蔽機能を容易に高めることができる放射性薬剤投与システムを提供することができる。
【図面の簡単な説明】
【００１２】
【図１】本発明の実施形態に係る放射性薬剤投与システムの構成を示す斜視図である。
【図２】図１に示す放射性薬剤投与システムのフレーム部及び遮蔽部材を放射性薬剤投与装置から離間させた展開斜視図である。
【図３】放射性薬剤投与装置を模式的に示す図である。
【図４】遮蔽部材の取り付け態様の一例を示す放射性薬剤投与システムの正面図である。
【図５】図４に示す放射性薬剤投与システムの側面図である。
【図６】図４に示す放射性薬剤投与システムの側面図である。
【図７】図４に示す放射性薬剤投与システムの平面図である。
【発明を実施するための形態】
【００１３】
以下、本発明の実施形態について、図面を参照しながら説明する。
【００１４】
放射性薬剤投与システム１００は、ＰＥＴ（ポジトロン断層撮影法）検査を受ける被験者（投与先）に対して放射性薬剤を投与するためのシステムである。図１及び図２に示すように、放射性薬剤投与システム１００は、放射性薬剤投与装置１と、フレーム部５０と、遮蔽部材６１，６２，６３，６４，６５と、を備える。
【００１５】
放射性薬剤投与装置１は、被験者に対して放射性薬剤を投与するための装置である。放射性薬剤投与装置１は、遮蔽壁２の内部に放射性薬剤及び当該放射性薬剤と投与するための各種構成要素を収容する。遮蔽壁２は、内部空間を有する箱状の筐体を構成している。遮蔽壁２は、上下方向に長手方向を有する直方体の筐体を構成しているが、形状は特に限定されない。放射性薬剤投与装置１は、前面１ａ、背面１ｂ、上面１ｃ、底面１ｄ、側面１ｅ，１ｆを有する。放射性薬剤投与装置１は、底面１ｄに車輪７１を有する。なお、以降の説明においては、前面１ａ及び背面１ｂに対して垂直な方向を前後方向と称し、側面１ｅ，１ｆに対して垂直な方向を横方向と称する場合がある。また、前面１ａから背面１ｂを見たときの状態を基準に「左」「右」の語を用いる。従って、側面１ｅが左側の側面であり、側面１ｆが右側の側面である。
【００１６】
ここで、図３を参照して、放射性薬剤投与装置１の内部の構成について詳細に説明する。図３に示すように、放射性薬剤投与装置１は、放射性薬剤Ｒを収容する薬剤バイアル３と、薬剤バイアル３から放射性薬剤Ｒを吸入すると共に吸入した放射性薬剤Ｒを排出する薬剤シリンジ５と、を備えている。また、放射性薬剤投与装置１は、生理食塩水（輸送液）Ｑを収容する生食パック７と、生食パック７から生理食塩水Ｑを吸入すると共に吸入した生理食塩水Ｑを排出する生食シリンジ９（輸送液シリンジ）と、を備えている。
【００１７】
放射性薬剤投与装置１は、生食パック７と生食シリンジ９とを接続する生食吸入ライン１３と、生食シリンジ９と翼付針１１（投与部）とを接続する輸送ライン１５を備えている。生食吸入ライン１３と輸送ライン１５とは、生食シリンジ９の出入口近傍で一部重複してもよい。生食吸入ライン１３には、生食パック７に刺入される採取針１３ａが含まれる。また、放射性薬剤投与装置１は、薬剤バイアル３と薬剤シリンジ５とを接続する薬剤吸入ライン１７と、薬剤シリンジ５と輸送ライン１５とを接続する薬剤ライン１９を備えている。薬剤ライン１９は、生食シリンジ９と翼付針１１との間の合流部２１において輸送ライン１５に合流している。薬剤吸入ライン１７と薬剤ライン１９とは、薬剤シリンジ５の出入口近傍で一部重複してもよい。薬剤吸入ライン１７には、薬剤バイアル３に刺入される採取針１７ａが含まれる。
【００１８】
また、放射性薬剤投与装置１は、合流部２１と翼付針１１との間の分岐部２３において輸送ライン１５から分岐した廃液ライン２７を備えている。廃液ライン２７の終端は廃液ボトル１０に接続されている。また、廃液ライン２７の途中には廃液バッファ２８も設けられている。以下、輸送ライン１５のうち、生食シリンジ９から合流部２１までの部分を輸送ライン上流部１５ａ、合流部２１から分岐部２３までの部分を輸送ライン中流部１５ｂ、分岐部２３から翼付針１１までの部分を輸送ライン下流部１５ｃと呼ぶ。
【００１９】
薬剤シリンジ５の周囲には、当該薬剤シリンジ５に吸入された放射性薬剤Ｒの放射能量を測定する測定ユニット３１が設けられている。また、輸送ライン下流部１５ｃ上には開閉可能なピンチバルブ３３が設けられており、廃液ライン２７上には開閉可能なピンチバルブ３５が設けられている。また、輸送ライン下流部１５ｃ上には放射性薬剤Ｒの通過を検出する通過センサ３７が設けられている。輸送ライン下流部１５ｃ上において、翼付針１１の直ぐ上流の位置には、フィルタ３９が設けられている。また、放射性薬剤投与装置１は、放射性薬剤Ｒからの放射線を遮蔽すべく、薬剤バイアル３を収納する遮蔽室４３と、薬剤シリンジ５を収納する遮蔽室４５と、廃液ボトル１０を収納する遮蔽室４７とを備えている。
【００２０】
また、放射性薬剤投与装置１は、薬剤シリンジ５及び生食シリンジ９のピストンを駆動し、薬剤シリンジ５及び生食シリンジ９による液体の吸入及び排出を制御する制御部４１を備えている。制御部４１は、更に、ピンチバルブ３３，３５の開閉動作を制御する。
【００２１】
なお、各ライン（生食吸入ライン１３，輸送ライン１５、薬剤吸入ライン１７、薬剤ライン１９等）は、例えば、滅菌されたエクステンションチューブ等の管体によって形成されている。また、上記各ラインの接続部や分岐部には、例えば、Ｔ字管等の官材が適宜挿入されている。
【００２２】
上述の構成要素のうち、フィルタ３９、翼付針１１及びそれらを接続するライン以外の構成要素は、遮蔽壁２の内部に収容されている。フィルタ３９、翼付針１１及びそれらを接続するラインは、遮蔽壁２の外に引き出されている。
【００２３】
放射性薬剤投与装置１では、翼付針１１が被験者に刺入される。その後、薬剤シリンジ５のピストンが引下げられると、薬剤バイアル３の放射性薬剤Ｒが、薬剤吸入ライン１７を通じて薬剤シリンジ５に吸入される。その後、ピンチバルブ３３が閉じピンチバルブ３５が開いた状態で、薬剤シリンジ５のピストンが押上げられる。これにより、薬剤ライン１９を通じて、薬剤シリンジ５から輸送ライン１５に対して放射性薬剤Ｒが押込まれる。このとき、輸送ライン１５の余剰の生理食塩水Ｑは、廃液ライン２７を通じて廃液ボトル１０に排出される。この動作により、輸送ライン１５上にあった生理食塩水Ｑの一部が、放射性薬剤Ｒに置換される。その後、生食シリンジ９のピストンが引下げられると、生食パック７の生理食塩水Ｑが、生食吸入ライン１３を通じて生食シリンジ９に吸入される。その後、ピンチバルブ３３が開きピンチバルブ３５が閉じた状態で、生食シリンジ９のピストンが押上げられる。これにより、輸送ライン１５内にあった放射性薬剤Ｒは、生食シリンジ９からの圧力により、翼付針１１を通じて生理食塩水Ｑと一緒に被験者の体内に投与される。
【００２４】
図１及び図２に戻り、フレーム部５０は、放射性薬剤投与装置１の外側を囲むように配置され、放射線を遮蔽する遮蔽部材６１，６２，６３，６４，６５を取り付け可能である。なお、放射性薬剤投与装置１の外側を囲む状態とは、フレーム部５０が放射性薬剤投与装置１を全周にわたって取り囲んでいる状態のみならず、放射性薬剤投与装置１の周方向の一部を取り囲み、他の部分を取り囲んでいないような状態も含んでいる。本実施形態では、フレーム部５０は、前面１ａ及び側面１ｅ，１ｆに対応する箇所では放射性薬剤投与装置１を囲んでいるが、背面１ｂに対応する箇所では放射性薬剤投与装置１を囲んでいない。フレーム部５０は、上側のフレームを構成する部材５１，５２，５３と、下側のフレームを構成する部材５４，５５，５６と、上下のフレームを連結する部材５７，５８と、を備える。各部材５１〜５８の材質として、鉄、鉛、アルミニウム等が採用される。
【００２５】
上側のフレームを構成する部材５１，５２，５３は、放射性薬剤投与装置１の上面１ｃ付近の高さ位置に配置される。フレーム部５０で放射性薬剤投与装置１の外側を囲んだ状態では、部材５１は前面１ａ（または前面１ａを上方へ広げた仮想的な面）と対向するように横方向に延びる。部材５２，５３は側面１ｅ，１ｆ（または側面１ｅ，１ｆを上方へ広げた仮想的な面）と対向するように前後方向に延びる。部材５１は、部材５２，５３の前側の端部同士を連結するように配置される。部材５２，５３の後側の端部間には部材が設けられていない。これにより、上側のフレームは、後端側が開口するようなコ字状の形状を有する。
【００２６】
下側のフレームを構成する部材５４，５５，５６は、放射性薬剤投与装置１の底面１ｄ付近の高さ位置に配置される。フレーム部５０で放射性薬剤投与装置１の周囲を覆った状態では、部材５４は前面１ａ（または前面１ａを下方へ広げた仮想的な面）と対向するように横方向に延びる。部材５５，５６は側面１ｅ，１ｆ（または側面１ｅ，１ｆを下方へ広げた仮想的な面）と対向するように前後方向に延びる。部材５４は、部材５５，５６の前側の端部同士を連結するように配置される。部材５５，５６の後側の端部間には部材が設けられていない。これにより、下側のフレームは、後端側が開口するようなコ字状の形状を有する。
【００２７】
部材５７，５８は、上側のフレームと下側のフレームとを連結するように上下方向に延びる。部材５７は、左側の部材５２と部材５５とを連結する。部材５７は、前後方向において、部材５２，５５の略中央位置に配置される。部材５８は、右側の部材５３と部材５６とを連結する。部材５８は、前後方向において、部材５３，５６の略中央位置に配置される。
【００２８】
フレーム部５０は、放射性薬剤投与装置１に対して近接及び離間が可能に構成される。図１に示すように、フレーム部５０は、放射性薬剤投与装置１の外側を囲むように、当該放射性薬剤投与装置１に近接した位置に配置可能である。また、図２に示すように、フレーム部５０は、放射性薬剤投与装置１から離間した位置に配置可能である。また、フレーム部５０は、図１に示す位置と図２に示す位置との間を往復移動することができる。具体的には、フレーム部５０は、車輪５９を備える。車輪５９は、部材５５の前後方向の両端部、及び部材５６の前後方向の両端部に設けられる。なお、図２に示す状態から図１に示す状態へフレーム部５０を移動させるとき、上側のフレーム及び下側のフレームのうち、開口している後端側から放射性薬剤投与装置１へ近づける。これにより、フレーム部５０は、放射性薬剤投与装置１と干渉することなく、当該放射性薬剤投与装置１の外側を囲むように配置される。
【００２９】
遮蔽部材６１，６２，６３，６４，６５は、放射線を遮蔽する部材である。遮蔽部材６１，６２，６３，６４，６５は、放射性薬剤投与装置１の遮蔽壁２に対する追加の遮蔽材として、当該遮蔽壁２よりも外側に配置される。遮蔽部材６１，６２，６３，６４，６５は、矩形の板状部材として構成される。遮蔽部材６１，６２，６３，６４，６５の材質として放射線を遮断する材質が採用され、例えば鉛、タングステンなどが採用される。遮蔽部材６１，６２，６３，６４，６５の厚みは特に限定されないが、遮蔽性を確保する一方で重量が過度に重くならないように、例えば３〜１５ｍｍの範囲に設定されることが好ましい。遮蔽部材６１，６２，６３，６４，６５と放射性薬剤投与装置１の各面との間の離間距離は特に限定されず、フレーム部５０との位置関係によって定められるが、放射線を漏れなく遮断するため、５０ｍｍ以内に設定されることが好ましい。
【００３０】
遮蔽部材６１，６２，６３，６４，６５は、フレーム部５０に対して取り付けられる。遮蔽部材６１，６２，６３，６４，６５は、フレーム部５０に対して着脱可能に取り付けられる。フレーム部５０に対する遮蔽部材６１，６２，６３，６４，６５の取り付け方法は特に限定されないが、例えば、ボルト締めによってフレーム部５０に取り付けられてよい。その他、フレーム部５０は、遮蔽部材６１，６２，６３，６４，６５を挟み込んで固定するようなクランプ機構を有していてもよく、遮蔽部材６１，６２，６３，６４，６５を嵌合させて固定する嵌合構造を有していてもよい。
【００３１】
遮蔽部材６１，６２，６３，６４，６５がフレーム部５０に対して取り付けられるタイミングは特に限定されない。遮蔽部材６１，６２，６３，６４，６５は、フレーム部５０が放射性薬剤投与装置１から離間した位置に配置されているとき（図２に示す位置）に、当該フレーム部５０に取り付けられてよい。または、遮蔽部材６１，６２，６３，６４は、フレーム部５０が放射性薬剤投与装置１に近接した位置に配置されているとき（図１に示す位置）に、当該フレーム部５０に取り付けられてよい。なお、遮蔽部材６５は、フレーム部５０を放射性薬剤投与装置１に近接させるように移動させる際に、当該放射性薬剤投与装置１と干渉しないように、移動後にフレーム部５０に取り付けられる。
【００３２】
遮蔽部材６１は、放射性薬剤投与装置１の前面１ａと対向して当該前面１ａを覆うように配置される。遮蔽部材６１は、前面１ａ側の遮蔽壁２に対する追加の遮蔽材として機能する。遮蔽部材６１は、フレーム部５０の部材５２，５３，５５，５６の前端、及び部材５１，５４の少なくとも何れかに支持される。
【００３３】
遮蔽部材６５は、放射性薬剤投与装置１の背面１ｂと対向して当該背面１ｂを覆うように配置される。遮蔽部材６５は、背面１ｂ側の遮蔽壁２に対する追加の遮蔽材として機能する。遮蔽部材６５は、フレーム部５０の部材５２，５３，５５，５６の後端の少なくとも何れかに支持される。
【００３４】
遮蔽部材６２は、放射性薬剤投与装置１の上面１ｃと対向して当該上面１ｃを覆うように配置される。遮蔽部材６２は、上面１ｃ側の遮蔽壁２に対する追加の遮蔽材として機能する。遮蔽部材６２は、フレーム部５０の部材５１，５２，５３の少なくとも何れかに支持される。
【００３５】
遮蔽部材６３は、放射性薬剤投与装置１の左側の側面１ｅと対向して当該側面１ｅを覆うように配置される。遮蔽部材６３は、側面１ｅ側の遮蔽壁２に対する追加の遮蔽材として機能する。遮蔽部材６３は、フレーム部５０の部材５１，５４の左端、及び部材５２，５５，５７の少なくとも何れかに支持される。
【００３６】
遮蔽部材６４は、放射性薬剤投与装置１の右側の側面１ｆと対向して当該側面１ｆを覆うように配置される。遮蔽部材６４は、側面１ｆ側の遮蔽壁２に対する追加の遮蔽材として機能する。遮蔽部材６４は、フレーム部５０の部材５１，５４の右端、及び部材５３，５６，５８の少なくとも何れかに支持される。
【００３７】
フレーム部５０は、任意の箇所に遮蔽部材を取り付け可能である。図１に示す例においては、遮蔽部材６１，６２，６３，６４，６５が全てフレーム部５０に取り付けられているが、遮蔽部材６１，６２，６３，６４，６５の少なくとも何れかがフレーム部５０に取り付けられていればよい。すなわち、放射性薬剤投与装置１の前面１ａ、背面１ｂ、上面１ｃ、側面１ｅ，１ｆの何れかが遮蔽部材に覆われており、他の面は遮蔽部材に覆われていなくともよい。また、図１に示す例においては、フレーム部５０は、前面１ａ、背面１ｂ、上面１ｃ、側面１ｅ，１ｆの略全面を覆うことができるように、遮蔽部材６１，６２，６３，６４，６５を取り付け可能であるが、各面の一部だけを覆うように遮蔽部材６１，６２，６３，６４，６５が取り付けられてもよい。例えば、遮蔽部材６１，６２，６３，６４，６５はそれぞれ一枚の板状部材として構成されているが、それぞれ分割された複数枚の板状部材として構成されてよい。そして、分割された板状部材の一部のみがフレーム部５０に取り付けられてもよい。
【００３８】
図４〜図７を参照して、フレーム部５０の任意の箇所に遮蔽部材が取り付けられた場合の例について説明する。ただし、図４〜図７に示す構成は一例にすぎず、フレーム部５０への遮蔽部材の取り付け態様は、要求される遮蔽性能などに応じて適宜変更してよい。図４〜図７に示すように、フレーム部５０には、前面１ａを覆う遮蔽部材６１と、側面１ｅ，１ｆを覆う遮蔽部材６３，６４と、上面１ｃを覆う遮蔽部材６２と、が取り付けられている。また、遮蔽部材６１，６３，６４，６２は、前面１ａ、側面１ｅ，１ｆ及び上面１ｃのうちの必要な箇所を部分的に覆うように、フレーム部５０に取り付けられる。
【００３９】
放射性薬剤投与装置１は、前面１ａ側の上側の領域に扉部材７６を有している（図４参照）。扉部材７６は前面１ａを両開きすることで、遮蔽壁２の内部空間にアクセスするための扉を構成する。放射性薬剤を投与する投与者は、扉部材７６を開くことで、放射性薬剤投与装置１の内部空間に放射性薬剤などをセットする。放射性薬剤投与装置１の上面１ｃには操作パネル７２が設けられており、当該上面１ｃから翼付針１１（図７参照）が引き出される。
【００４０】
遮蔽部材６１は、前面１ａのうち、扉部材７６が設けられている上側の領域に対応する位置を覆う（図４参照）。従って、前面１ａのうち、下側の領域は遮蔽部材６１に覆われることなく露出している。遮蔽部材６３は、側面１ｅのうち、部材５７より前側の領域であって、上側の領域に対応する位置を覆う（図５参照）。従って、側面１ｅの他の領域は遮蔽部材６３に覆われることなく露出している。遮蔽部材６４は、側面１ｆのうち、部材５８より前側の領域であって、上側の領域に対応する位置を覆う（図６参照）。従って、側面１ｆの他の領域は遮蔽部材６４に覆われることなく露出している。遮蔽部材６２は、上面１ｃのうち、前側の領域における中央位置付近に対応する位置を覆う（図７参照）。従って、上面１ｃの他の領域は遮蔽部材６２に覆われることなく露出している。上面１ｃのうち、操作パネル７２が設けられる箇所、及び翼付針１１が引き出される箇所は、遮蔽部材６２から露出している。
【００４１】
図４〜図７に示すような遮蔽部材の配置によれば、投与者が被験者に対して放射性薬剤を投与するために放射性薬剤投与装置１の側面１ｅ又は側面１ｆの前側付近に位置する場合、遮蔽部材６３又は遮蔽部材６４が、放射性薬剤投与装置１から投与者へ向かう放射線を遮蔽することができる。また、操作パネル７２を操作するために投与者が放射性薬剤投与装置１の前面１ａ付近に位置し、体の一部が上面１ｃの前側付近に位置する場合、遮蔽部材６１及び遮蔽部材６２が、放射性薬剤投与装置１から投与者へ向かう放射線を遮蔽することができる。また、放射性薬剤投与装置１の内部空間では上側の領域での放射線が多い一方、下側の領域での放射線は少ない。従って、遮蔽部材６１，６３，６４が放射性薬剤投与装置１の上側の領域のみを覆うことで、必要な箇所だけに対する遮断性能を向上できる。
【００４２】
次に、本実施形態に係る放射性薬剤投与システム１００の作用・効果について説明する。
【００４３】
本実施形態に係る放射性薬剤投与システム１００は、放射性薬剤投与装置１の周囲を覆うように配置され、放射線を遮蔽する遮蔽部材６１，６２，６３，６４，６５を取り付け可能なフレーム部５０と、フレーム部５０に対して取り付けられる遮蔽部材６１，６２，６３，６４，６５と、を備える。このような構成では、フレーム部５０に対して遮蔽部材６１，６２，６３，６４，６５を取り付けるだけで、放射線に対する遮蔽機能を高めることができる。また、放射性薬剤投与装置１の遮蔽壁２自体には変更を加える必要がないため、薬事申請を行うことなく、遮蔽機能を高めることができる。以上により、放射性薬剤投与システム１００の遮蔽機能を容易に高めることができる。
【００４４】
また、フレーム部５０は、任意の箇所に遮蔽部材６１，６２，６３，６４，６５を取り付け可能である。この場合、放射性薬剤投与システム１００の施設の安全性の基準や使用状況にあわせて、必要な箇所の遮蔽機能を高めることができる。例えば、放射性薬剤投与システム１００を配置する室内のレイアウト変更が発生し、要求される放射線の遮蔽態様に変更が生じた場合などに、遮蔽壁２の構造を変更することなく、遮蔽部材のフレーム部５０に対する取り付け箇所を変更するだけで、レイアウト変更に容易に対応することができる。
【００４５】
また、フレーム部５０は、放射性薬剤投与装置１に対して近接及び離間が可能に構成されている。この場合、フレーム部５０を放射性薬剤投与装置１から離間した状態にて、フレーム部５０に対する遮蔽部材６１，６２，６３，６４，６５の取り付けを行うことができる。
【００４６】
また、フレーム部５０は、車輪５９を備えている。この場合、シンプルな構成にて、フレーム部５０を放射性薬剤投与装置１に対して近接及び離間させることができる。
【００４７】
本発明は、上述した実施形態を始めとして、当業者の知識に基づいて種々の変更、改良を施した様々な形態で実施することができる。また、上述した実施形態に記載されている技術的事項を利用して、実施例の変形例を構成することも可能である。各実施形態の構成を適宜組み合わせて使用してもよい。
【００４８】
例えば、フレーム部の構成は上述の実施形態に限定されるものではない。例えば、上下方向に延びる部材として二本の部材５７，５８が採用されていたが、三本以上の部材が設けられてもよい。例えば、上側及び下側のフレームの四か所の角部にそれぞれ上下方向に延びる部材が設けられてもよい。
【００４９】
また、放射性薬剤投与システムは、一台のフレーム部を備えていたが、複数台のフレーム部を有していてもよい。例えば、前後方向から二台のフレーム部で放射性薬剤投与装置の全周を取り囲むようにしてもよい。
【００５０】
また、フレーム部に車輪が設けられることで、フレーム部が放射性薬剤投与装置に対して近接及び離間が可能に構成されていたが、他の機構によって近接及び離間が可能に構成されてよい。例えば、床部にフレーム部を往復移動させるようなスライド部を設けてもよい。
【符号の説明】
【００５１】
１…放射性薬剤投与装置、５０…フレーム部、５９…車輪、６１，６２，６３，６４，６５…遮蔽部材。
【図１】
2019217041.tif 000003
【図２】
2019217041.tif 000004
【図３】
2019217041.tif 000005
【図４】
2019217041.tif 000006
【図５】
2019217041.tif 000007
【図６】
2019217041.tif 000008
【図７】
2019217041.tif 000009